(57)【要約】【課題】他の発光装置に対して発光開始指示を行う発光装置が閃光発光によるプリ発光を行なう場合にも、それぞれの発光装置のプリ発光時の測光を正しく行えるようにする。【解決手段】撮像装置に内蔵された、あるいは、脱着可能な第１の発光装置は、撮像装置からのプリ発光の指示に応じて発光部を制御し、第２の発光装置にプリ発光を開始させるための閃光発光を行う。そして、第１の発光装置は、この閃光発光から所定時間の経過後に撮像装置による側溝のための閃光発光を行うように発光部を制御する。第２の発光装置は、プリ発光を開始させるための上記閃光発光に応じて、撮像装置による測光のためのフラット発光を行う。【選択図】  図５
2014095876.tif 000002
【特許請求の範囲】
【請求項１】
撮像装置と、前記撮像装置に内蔵あるいは脱着可能な第１の発光装置と、前記撮像装置および前記第１の発光装置とは別体の第２の発光装置とを有するカメラシステムであって、
前記第１の発光装置は、
前記撮像装置からのプリ発光の指示に応じて、前記第２の発光装置にプリ発光を開始させるための閃光発光を行うように発光手段を制御する第１の制御と、
前記第１の制御による閃光発光から所定時間の経過後に、前記撮像装置による測光のための閃光発光を行うように前記発光手段を制御する第２の制御と、を行う発光制御手段を備え、
前記第２の発光装置は、
前記第１の制御による閃光発光に応じて、前記撮像装置による前記測光のためのフラット発光を行う
ことを特徴とするカメラシステム。
【請求項２】
前記第２の制御における前記所定時間は、前記撮像装置が前記測光を行う期間内であって、前記第２の発光装置がフラット発光を実行している間に閃光発光が実行されるように設定されることを特徴とする請求項１に記載のカメラシステム。
【請求項３】
前記第１の発光装置は、複数種類の撮像装置に脱着可能であって、
脱着可能な撮像装置の種類に対応させて、前記第１の制御による閃光発光から前記第２の制御による閃光発光までの時間間隔を保持する保持手段と、
装着された撮像装置との通信により該撮像装置の種類を判別する判別手段と、を更に備え、
前記発光制御手段は、前記保持手段から、前記判別手段で判別された撮像装置の種類に対応して保持されている時間間隔を前記所定時間として設定することを特徴とする請求項１または２に記載のカメラシステム。
【請求項４】
前記第１の発光装置は、複数種類の撮像装置に脱着可能であって、
脱着可能な撮像装置の種類に対応させて、プリ発光の指示から測光を開始するまでの時間を含む測光タイミング情報を保持する保持手段と、
装着された撮像装置との通信により該撮像装置の種類を判別する判別手段と、を更に備え、
前記発光制御手段は、前記保持手段から、前記判別手段で判別された撮像装置の種類に対応して保持されている測光タイミング情報に基づいて前記所定時間を決定することを特徴とする請求項１または２に記載のカメラシステム。
【請求項５】
前記第１の発光装置は、
前記撮像装置との通信により、プリ発光の指示から測光を開始するまでの時間を含む測光タイミング情報を取得する取得手段を更に備え、
前記発光制御手段は、前記取得手段により取得された測光タイミング情報に基づいて前記所定時間を決定することを特徴とする請求項１または２に記載のカメラシステム。
【請求項６】
撮像装置に内蔵あるいは脱着可能な発光装置であって、
前記撮像装置からのプリ発光の指示に応じて、別体の発光装置にプリ発光を開始させるための閃光発光を行うように発光手段を制御する第１の制御と、
前記第１の制御による閃光発光から所定時間の経過後に、前記撮像装置による測光のための閃光発光を行うように前記発光手段を制御する第２の制御と、を行う発光制御手段を備えることを特徴とする発光装置。
【請求項７】
撮像装置と、前記撮像装置に内蔵あるいは脱着可能な第１の発光装置と、前記撮像装置および前記第１の発光装置とは別体の第２の発光装置とを有するカメラシステムの制御方法であって、
前記第１の発光装置が、前記撮像装置からのプリ発光の指示に応じて、前記第２の発光装置にプリ発光を開始させるための閃光発光を行うように発光手段を制御する第１の制御工程と、
前記第１の発光装置が、前記第１の制御工程による閃光発光から所定時間の経過後に、前記撮像装置による測光のための閃光発光を行うように前記発光手段を制御する第２の制御工程と、
前記第２の発光装置が、前記第１の制御工程による閃光発光に応じて、前記撮像装置による前記測光のためのフラット発光を行う工程とを有する、ことを特徴とする制御方法。
【請求項８】
撮像装置に内蔵あるいは脱着可能な発光装置の制御方法であって、
第１の制御手段が、前記撮像装置からのプリ発光の指示に応じて、別体の発光装置にプリ発光を開始させるための閃光発光を行うように発光手段を制御する第１の制御工程と、
第２の制御手段が、前記第１の制御工程による閃光発光から所定時間の経過後に、前記撮像装置による測光のための閃光発光を行う第２の制御工程と、を有することを特徴とする制御方法。
【発明の詳細な説明】
【技術分野】
【０００１】
本発明は、撮像装置と複数の発光装置を有するカメラシステム、および、発光装置、並びにそれらの制御方法に関する。
【背景技術】
【０００２】
従来、プリ発光を行うストロボ装置として、プリ発光を行って被写体反射光を測光し、その測光値をもとに本発光量を演算し、演算された発光量で本発光を行い、適正露光量を得るストロボシステムが知られている（特許文献１）。
【０００３】
また、プリ発光による被写体反射光の測光を、カメラボディに装着されたマスターストロボ装置と、カメラから離れた位置に配置されたスレーブストロボ装置とを用いて行うストロボシステムがある。特許文献２に開示されたストロボシステムでは、マスターストロボが複数の光パルス信号による発光開始信号をスレーブストロボに送信する。その後、マスターストロボがフラット発光によるプリ発光を開始すると、スレーブストロボがそれを検知してフラット発光によるプリ発光行う。このようなマスターストロボとスレーブストロボの連動により、マスターストロボとスレーブストロボの両方のプリ発光のもとでの被写体反射光の測光を行うことができる。
【先行技術文献】
【特許文献】
【０００４】
【特許文献１】特開平１０−４８７１３号公報
【特許文献２】特許第３９６２４８９号公報
【発明の概要】
【発明が解決しようとする課題】
【０００５】
しかしながら、特許文献２の構成では、マスターストロボとスレーブストロボの両方においてフラット発光が可能であることが要求される。すなわち、特許文献２では、マスターストロボがフラット発光機能を有しておらず閃光発光のみしかできない場合には、マスターストロボとスレーブストロボを同時にプリ発光させての被写体反射光の測光を正確に実施することはできない。この点について、以下で説明する。
【０００６】
スレーブストロボの発光はマスターストロボの発光をトリガとして実行される。マスターストロボとスレーブストロボがフラット発光によるプリ発光を行なう場合には、ある程度長い時間、マスターストロボとスレーブストロボを同時に発光させることが可能である。そのため、カメラによる測光の開始より前に発光を始め、カメラによる測光の終了より後に発光を終了するようにして、測光を行なうことができる。他方、マスターストロボが閃光発光によるプリ発光しかできない場合には、カメラによる測光開始より前にプリ発光を行うと、測光開始より前にマスターストロボが閃光発光してしまい、意図した光量の全てを測光させることが出来ない。また、測光開始のタイミングでマスターストロボを閃光発光するようにしても、マスターストロボによる閃光発光の最中にスレーブストロボがフラット発光を開始するため、閃光発光のみの期間が存在してしまい、意図した光量を測光することはできない。よって、マスターストロボが閃光発光しかできない場合には、マスターストロボまたはスレーブストロボのプリ発光の被写体反射光のどちらかのみしか正しい測光をする事ができない。
【０００７】
本発明は上記の課題に鑑みてなされたものであり、他の発光装置に対して発光開始指示を行う発光装置が閃光発光によるプリ発光を行なう場合にも、それぞれの発光装置のプリ発光時の測光を正しく行えるようにすることを目的とする。
【課題を解決するための手段】
【０００８】
上記の目的を達成するための本発明の一態様によるカメラシステムは以下の構成を備える。すなわち、
撮像装置と、前記撮像装置に内蔵あるいは脱着可能な第１の発光装置と、前記撮像装置および前記第１の発光装置とは別体の第２の発光装置とを有するカメラシステムであって、
前記第１の発光装置は、
前記撮像装置からのプリ発光の指示に応じて、前記第２の発光装置にプリ発光を開始させるための閃光発光を行うように発光手段を制御する第１の制御と、
前記第１の制御による閃光発光から所定時間の経過後に、前記撮像装置による測光のための閃光発光を行うように前記発光手段を制御する第２の制御と、を行う発光制御手段を備え、
前記第２の発光装置は、
前記第１の制御による閃光発光に応じて、前記撮像装置による前記測光のためのフラット発光を行う。
【発明の効果】
【０００９】
本発明によれば、他の発光装置に対して発光開始指示を行う発光装置が閃光発光によるプリ発光を行なう場合にも、それぞれの発光装置のプリ発光時の測光を正しく行える。
【図面の簡単な説明】
【００１０】
【図１】実施形態に係るマスターストロボ装置とスレーブストロボ装置の構成を示す図。
【図２】実施形態に係るストロボ装置の電気回路構成を示すブロック図。
【図３】実施形態に係る撮像装置の電気回路構成を示すブロック図。
【図４】実施形態に係るワイヤレス通信および発光を説明するタイミングチャート。
【図５】実施形態に係るワイヤレスプリ発光を説明するタイミングチャート。
【図６】実施形態によるストロボシステムの概要を示す図。
【図７】実施形態によるマスターストロボ装置とスレーブストロボ装置の動作を説明するフローチャート。
【発明を実施するための形態】
【００１１】
以下に、本発明の実施形態について、添付の図面に基づいて詳細に説明する。
【００１２】
１．カメラシステム、発光装置の構成
図６は、実施形態に係るカメラシステムを示す図である。撮像装置としてのカメラ１００には、第１の発光装置であるマスターストロボ装置１０１が装着されている。マスターストロボ装置１０１は、カメラ１００に内蔵されていてもよいし、脱着可能に構成されていてもよい。また、カメラシステムは、カメラ１００やマスターストロボ装置１０１とは別体の第２の発光装置であるスレーブストロボ装置１５１を含み、多灯ストロボカメラシステムを構成している。カメラ１００とマスターストロボ装置１０１との間の通信は、たとえばアクセサリーシューを介して行われる。また、マスターストロボ装置１０１とスレーブストロボ装置１５１との間は、光によるワイヤレス通信が可能となっており、マスターストロボ装置１０１の発光をスレーブストロボ装置１５１が受光することにより通信が行われる。図１を参照して、実施形態に係る撮像装置に接続可能な発光装置としてのストロボ装置の構成を説明する。
【００１３】
［マスターストロボ装置１０１］
図１（ａ）のマスターストロボ装置１０１は、光によるワイヤレス送信が可能なストロボである。マスターストロボ装置１０１は、カメラ１００からのデータに従って発光制御を行う。
【００１４】
発光手段としてのキセノン管（放電管）１０２は、電気エネルギーを発光エネルギーに変換する。フレネルレンズ１０３、反射板１０４は、それぞれ発光エネルギーを効率良く被写体に向けて集光する。クリップオンコネクタ１０５は、マスターストロボ装置１０１をカメラ１００や三脚等に機械的に固定するために用いられる。アクセサリーシュー接合ピン１０６は、カメラ１００などに電気的に接続し、マスターストロボ装置１０１とカメラ１００との間における発光指示や制御情報の通信を行うのに用いられる。グラスファイバ１０７は、キセノン管１０２の発光した光を、フォトダイオード等の受光素子１０８に導いている。受光素子１０８は、マスターストロボ装置１０１のプリ発光及び本発光の光量を直接測光する。反射板１０４と一体となったライトガイド１１０はキセノン管１０２の光を反射して、グラスファイバ１０７へ導く。
【００１５】
［スレーブストロボ装置１５１］
図１（ｂ）のスレーブストロボ装置１５１は、図１（ａ）のマスターストロボ装置１０１の構成に対し、光によるワイヤレス受信および間欠発光動作によるフラット発光を可能とする構成が加わったストロボである。スレーブストロボ装置１５１は、マスターストロボとしての動作とスレーブストロボとしての動作の両方の動作が可能である。マスターストロボ装置１０１と同様の構成については、図１（ａ）と同一の参照番号を付してある。
【００１６】
フォトダイオード等で構成される受光素子１０９は、受光素子１０８と同じ様にキセノン管１０２が発光した光をモニタする。受光素子１０９の出力に基づいてキセノン管１０２の発光電流を制限することで間欠発光動作によるフラット発光の制御が行われる。反射板１０４と一体となったライトガイド１１１はキセノン管１０２の光を反射して受光素子１０９に導く。受光素子１１２は、マスターストロボ装置１０１からの光信号による制御情報を受信するものであり、これによりプリ発光および本発光の制御を行う。
【００１７】
なお、本実施形態ではマスターストロボ装置１０１がフラット発光およびスレーブ動作のできない簡易な構成である場合を説明するが、これに限られるものではない。例えば、閃光発光やフラット発光が可能であり、マスターストロボとスレーブストロボの両方の動作が可能なストロボ装置がマスターストロボ装置１０１として動作し、プリ発光ではフラット発光を使用せずに閃光発光を用いて動作する場合にも適用される。
【００１８】
２．ストロボの電気回路構成
［マスターストロボ装置］
図２（ａ）は図１（ａ）のマスターストロボ装置１０１の電気回路ブロック図である。昇圧回路２０２は、電源であるところの電池２０１の電圧を数百Ｖに昇圧する。メインコンデンサ２０３は、昇圧回路２０２の出力である電気エネルギーを蓄積する。分圧抵抗２０４、２０５は、メインコンデンサ２０３の電圧を所定比に分圧するものであり、ストロボマイコン２２０のＡＤ入力端子に接続されている。トリガ回路２０６は、キセノン管１０２を励起させる。
【００１９】
受光素子１０８は閃光発光制御用の受光センサであるところのフォトダイオードであり、キセノン管１０２の光出力をモニタする。測光積分回路２０８は、受光素子１０８に流れる光電流を対数圧縮すると共に、キセノン管１０２の発光量を圧縮積分し、閃光発光時の発光量制御用のコンパレータ２１２に入力する。発光制御回路２０７は、コンパレータ２１２の出力により、キセノン管１０２の発光量などの発光制御を行う。ストロボマイコン２２０は、ストロボの動作を制御するマイクロコンピュータであり、発光処理を行うプログラムや各種制御を行うための調整値、ＡＤ変換器等が内蔵されている。また、ストロボマイコン２２０は、後述する第１の制御処理や第２の制御処理等の発光制御処理を行う。
【００２０】
［スレーブストロボ装置］
図２（ｂ）は図１（ｂ）のスレーブストロボ装置１５１の電気回路ブロック図である。図２（ａ）と同様の構成については同一の参照番号を付してある。データセレクタ２２１は、Ｙ０、Ｙ１の２入力の組み合わせにより、Ｄ０、Ｄ１、Ｄ２を選択してＹに出力する。発光制御回路２０７は、データセレクタ２２１の出力（Ｙ）を入力してキセノン管１０２の発光制御を行う。なお、データセレクタ２２１のＹ０，Ｙ１はストロボマイコン２２０に接続されており、データセレクタ２２１の出力を切り替えることができる。すなわち、ストロボマイコン２２０は、閃光発光時には上述したコンパレータ２１２の出力を、フラット発光時には後述するコンパレータ２１３の出力を、それぞれデータセレクタ２２１の出力Ｙとして選択することができる。
【００２１】
受光素子１０９はフラット発光制御用の受光センサであるところのフォトダイオードであり、キセノン管１０２の光出力をモニタする。測光回路２０９は、受光素子１０９に流れる微少電流を増幅すると共に光電流を電圧に変換し、フラット発光の発光光度制御用のコンパレータ２１３に入力する。受光素子１１２は、光信号の受信手段であるところのフォトダイオードであり、マスターストロボの光信号を受け、受光素子１１２に流れる光電流を増幅し、電圧に変換する受光回路２１４に入力し、ワイヤレス制御を行う。
【００２２】
３．カメラ１００の電気回路構成
図３は、ストロボ装置が装着可能なカメラ１００の電気回路ブロック図である。カメラマイコン３０１は、カメラ１００の制御を行うメインマイコンであり、電源制御、スイッチ制御、レンズ制御、測光、測距制御、シャッタ制御等を行う。カメラマイコン３０１には、電源回路３０２、レリーズ釦が有する２つのスイッチ（ＳＷ１、ＳＷ２と記載する）やストロボ接続シュースイッチ等を含むスイッチアレイ３０４、発振回路３０５、焦点検出回路３１０、測光回路３１１、ＬＣＤ駆動回路３１２等が接続されている。また、カメラマイコン３０１には、シャッタ制御回路３２０、モータ制御回路３２１、画像処理エンジン３３０等が接続されている。
【００２３】
カメラマイコン３０１は、発振回路３０５にて生成されたクロックにより駆動されると共に、このクロックをカウントすることによって正確な時間管理を行う。そして、カメラマイコン３０１は、カメラ全体の動作シーケンスにおけるタイミング、及び、外部のストロボやリモコン等との通信シーケンスにおけるタイミングをコントロールしている。
【００２４】
焦点検出回路３１０は、カメラマイコン３０１の信号に従い、測距センサの蓄積制御と読み出し制御を行って、それぞれの画素情報をカメラマイコン３０１に出力する。カメラマイコン３０１は、この情報をＡＤ変換し、周知の位相差検出法による焦点検出を行う。カメラマイコン３０１は、焦点検出情報により、レンズ本体３５０内のマイコンと信号のやりとりを行うことにより撮影レンズの焦点調節を行う。
【００２５】
測光回路３１１は、被写体の輝度信号として、測光センサ３１５からの出力をカメラマイコン３０１に出力する。測光回路３１１は、被写体に向けてストロボ光をプリ発光していない定常状態とプリ発光しているプリ発光状態の双方の状態で輝度信号を出力する。カメラマイコン３０１は、輝度信号をＡＤ変換し、撮影の露出調節のための絞り値の演算とシャッタスピードの演算、及び露光時のストロボ本発光量の演算を行う。シャッタ制御回路３２０は、カメラマイコン３０１からの信号に従って、フォーカルプレンシャッタを構成する２つのシャッタ駆動マグネットを制御し、シャッタ幕を走行させ、露出動作を担っている。
【００２６】
モータ制御回路３２１は、カメラマイコン３０１からの信号に従ってモータ３２２を制御することにより、主ミラーのアップダウン、及びシャッタのチャージを行っている。レリーズ釦が含むスイッチＳＷ１はレリーズ釦の第１ストロークでオンし、測光、ＡＦを開始するスイッチとなる。また、スイッチＳＷ２はレリーズ釦の第２ストロークでオンし、露光動作を開始するスイッチとなる。ＳＷ１、ＳＷ２及びその他不図示のカメラの操作部材からの信号は、カメラマイコン３０１が検出する。
【００２７】
ＬＣＤ駆動回路３１２は、ファインダ内ＬＣＤ３１６の表示と共にモニタ用ＬＣＤ３１７の表示をカメラマイコン３０１からの信号に従って制御している。画像処理エンジン３３０は、主にデジタル画像処理を行うプロセッサであり、ＦＲＯＭ３３１に保存されたプログラムによって、撮像センサ３４０の制御や、画像処理、画像表示、画像記録等の制御を行う。
【００２８】
画像処理エンジン３３０は、カメラマイコン３０１から撮像制御要求があると、タイミングジェネレータ（ＴＧ）３４１を介して撮像センサ３４０の蓄積制御、読み出し制御を行う。撮像センサ３４０から読み出された画像信号は、ＡＤコンバータ３４２によりアナログからデジタルへ変換され、画像処理エンジン３３０に入力された後、ＤＲＡＭ３３２に一時的に保存される。
【００２９】
ＤＲＡＭ３３２に一時保存された画像信号は、画像処理エンジン３３０に再度読み込まれ、既知の色補完処理やホワイトバランス処理、ガンマ処理等の画像処理が行われ、最終的にＪＰＥＧ等のデジタル画像データに変換される。デジタル画像データが生成されると、再度、ＤＲＡＭ３３２に一時保存されると共に、ＴＦＴ表示装置３３４にクイックレビュー表示され、さらに、記録媒体３３３へ記録される。
【００３０】
外部インターフェース３３５を介して、カメラ１００がＰＣ等の外部デバイスと接続されている場合は、画像データは記録媒体３３３に記録されると共に、外部デバイスへも送信される。
【００３１】
４．ワイヤレス発光タイミングチャート
＜ワイヤレス通信および発光動作の説明＞
次にマスターストロボ装置１０１からスレーブストロボ装置１５１に発光情報を伝達する為のワイヤレス通信、およびプリ発光と本発光のシーケンスについて図４のタイミングチャートを例にして説明する。
【００３２】
図４において、（Ａ）はカメラ１００からマスターストロボ装置１０１へのシリアル通信の為の同期クロック信号である。（Ｂ）はカメラ１００からマスターストロボ装置１０１へのデータ出力信号、（Ｃ）はマスターストロボ装置１０１からカメラ１００へのデータ出力信号である。これらの信号はそれぞれアクセサリーシュー接合ピン１０６を介して、カメラ１００とマスターストロボ装置１０１との間でやり取りされる。また、（Ｄ）はマスターストロボ装置１０１がキセノン管１０２をパルス的に断続発光させて発生するスレーブストロボ装置１５１へのワイヤレス光通信信号、およびマスターストロボ装置１０１自身のプリ発光、本発光を示している。また、（Ｅ）はスレーブストロボ装置１５１の発光を示している。
【００３３】
［ｔ０］  カメラ１００は、マスターストロボ装置１０１とアクセサリーシュー接合ピン１０６を介して同期クロック（ＣＬＫ信号）を用いた所定のシリアル通信を行い、ワイヤレスプリ発光を指示する。
［ｔ１］  マスターストロボ装置１０１は、キセノン管１０２をパルス発光させてワイヤレス光通信信号Ｄａｔａ１をスレーブストロボ装置１５１へ送信する。Ｄａｔａ１はチャネル識別信号、発光モード（プリ発光、メイン発光、マニュアル発光など）、動作モード（閃光発光またはフラット発光など）、フラット発光時の発光時間、発光量などの情報を圧縮して構成されたものである。マスターストロボ装置１０１は上述のワイヤレス送信をしている間は、シュー接点のＤＯ通信ラインをローレベルに落としている。
［ｔ２］  マスターストロボ装置１０１はワイヤレス送信が終了すると、ＤＯ端子をハイに戻す。カメラ１００はＤＯ端子がハイに戻ったことから、マスターストロボ装置１０１からスレーブストロボ装置１５１へのワイヤレス送信が終了したことを認識する。
【００３４】
［ｔ３］  カメラ１００はＣＬＫ信号ラインをローレベル引き下げることによりマスターストロボ装置１０１にプリ発光の開始を指示する。マスターストロボ装置１０１は、ＣＬＫ通信ラインが立ち下がった事を検出して、プリ発光処理を開始する。この間、マスターストロボ装置１０１は、ＤＯ端子をローレベルに落とす。一方、スレーブストロボ装置１５１はマスターストロボ装置１０１からのワイヤレス光通信信号Ｄａｔａ１を受信してチャネル符号、発光モード、発光時間、発光量等の情報をデコードする。そして、スレーブストロボ装置１５１は、前述のマスターストロボ装置１０１のプリ発光に同期して、受信した光量、発光時間でプリ発光を行う。ｔ３〜ｔ４の間のこれらプリ発光処理についての詳しい内容は後述する。
【００３５】
［ｔ４］  プリ発光が終了すると、マスターストロボ装置１０１はＤＯ端子をハイに戻し、プリ発光の終了をカメラ１００に通知する。
［ｔ５］  プリ発光の終了を認識したカメラ１００は、マスターストロボ装置１０１にアクセサリーシュー接合ピン１０６を介したシリアル通信で本発光の調光可否と、カメラ１００の設定シャッタ速度に応じて、閃光発光の本発光量を送信する。
【００３６】
［ｔ６］  マスターストロボ装置１０１は、キセノン管１０２をパルス発光させて、発光量などの情報を含むワイヤレス光通信信号Ｄａｔａ２を送信する。マスターストロボ装置１０１は上述のワイヤレス送信をしている間はＤＯ通信ラインをローレベルに落としている。
［ｔ７］  ワイヤレス光通信信号Ｄａｔａ２の送信を終了すると、マスターストロボ装置１０１はＤＯ端子をハイに戻し、カメラ１００にワイヤレス送信の完了を通知する。
【００３７】
［ｔ８］  カメラ１００は、ＣＬＫ端子をローレベルに落としてマスターストロボ装置１０１に発光指示を伝達する。マスターストロボ装置１０１は、ＣＬＫ端子の立下りを検出して、カメラ１００から指示された発光（本発光）を行う。この間、マスターストロボ装置１０１は、ＤＯ端子をローレベルに落とす。一方、スレーブストロボ装置１５１は、マスターストロボ装置１０１の発光を受光素子１１２で受光してその立ち上がり光を検知し、マスターストロボ装置１０１から指示された発光時間、発光強度によるフラット本発光を行う。こうして、スレーブストロボ装置１５１の本発光がマスターストロボ装置１０１の本発光に同期する。
［ｔ９］  発光動作を終了すると、マスターストロボ装置１０１はＤＯ端子をハイに戻す。
【００３８】
＜プリ発光の動作の詳細＞
［プリ発光の説明］
図５は、本実施形態によるプリ発光を詳細に説明するための図である。また、図７は、マスターストロボ装置１０１とスレーブストロボ装置１５１のプリ発光動作における動作を説明するフローチャートである。以下、図５、図７を参照して、図４で示したプリ発光についてより詳細に、さらに複数のカメラがある場合の測光シーケンスを交えて説明する。
【００３９】
図５の（Ａ）（Ｄ）（Ｅ）はそれぞれ図４で図示した（Ａ）（Ｄ）（Ｅ）のプリ発光時の動作タイミングについて詳細に表したものである。また、（Ｆ）はカメラ１００の測光回路３１１が測光センサ３１５を受光制御するための信号であり、ストロボによるプリ発光の被写体反射光を測光するタイミングを示している。なお、図５では省略しているが、ストロボの発光時以外には定常光の測光も行っており、これとストロボ光の差分を演算することによりカメラ１００は撮影時の露出が適正になるストロボ発光量を、本発光の前にマスターストロボ装置１０１に送信している。
【００４０】
本実施形態でのマスターストロボ装置１０１はフラット発光機能がなく、閃光発光のみが可能なストロボ装置である。そのため、マスターストロボ装置１０１がフラット発光機能を有する場合と同じタイミング、つまりプリ発光１のタイミングでプリ発光を行うと、マスターストロボ装置１０１はカメラ１００が測光する前に発光が終了してしまう。また、マスターストロボ装置１０１のプリ発光を測光させる為に、プリ発光２のタイミングで発光を行うと、スレーブストロボ装置１５１の発光波形の立ち上がり初期から測光を開始してしまい、適切な測光ができない。
【００４１】
そこで、本実施形態のマスターストロボ装置１０１はプリ発光１とプリ発光２の様に、プリ発光を２回行う。図５（ａ）は、プリ発光指示から測光回路３１１が測光を開始するまで（Ｔ１〜Ｔ２）の長さが比較的長く例えば２００μｓｅｃのウェイト時間を持つカメラＡの場合を図示している。また、図５（ｂ）は、プリ発光指示から測光回路３１１が測光を開始するまで（Ｔ１〜Ｔ２）の長さが比較的短い、例えば１００μｓｅｃのウェイト時間を持つカメラＢの場合を図示している。
【００４２】
まず、プリ発光の開始に先立って、図４のｔ０〜ｔ１に示したように、マスターストロボ装置１０１は、カメラ１００との通信により、プリ発光の指示等を受信する（Ｓ７０１）。マスターストロボ装置１０１は、受信したプリ発光の指示に基づいて、プリ発光のための各種の駆動パラメータを決定する（Ｓ７０２）。たとえば、図５（ａ）と（ｂ）の様に、カメラの種類によって測光タイミングが異なる場合、カメラの測光タイミングに合わせてプリ発光２を行うために、カメラの測光タイミングに応じてプリ発光１とプリ発光２の時間間隔が決定される。
【００４３】
複数種類のカメラのそれぞれの測光タイミングに応じてプリ発光２のタイミングを最適にする手法としては、たとえば、以下のような方法が挙げられる。
・マスターストロボ装置１０１がカメラの種類ごとにプリ発光２のタイミング（例えば、プリ発光１からプリ発光２までの時間間隔）を保持したテーブルを保持する。そして、マスターストロボ装置１０１が、Ｓ７０１における通信等によりカメラの種類を判別し、判別された種類に対応するタイミングを上記テーブルから取得し、プリ発光２のタイミングを決定する。なお、カメラの種類は、たとえば、Ｓ７０１でカメラＩＤを取得することで判別できる。
・マスターストロボ装置１０１がカメラの種類ごとにプリ発光の指示から測光を開始するまでの時間を含む測光タイミング情報を保持したテーブルを保持する。そして、マスターストロボ装置１０１は、Ｓ７０１の通信等により判別したカメラの種類に対応する測光タイミング情報を上記テーブルから取得し、プリ発光２のタイミングを決定する。
・Ｓ７０１における通信内容に、上記のプリ発光２のタイミング、あるいは、上記測光タイミング情報を含ませる。マスターストロボ装置１０１は、Ｓ７０１の通信で取得したプリ発光２のタイミング、あるいは、測光タイミング情報を参照してプリ発光２のタイミングを決定する。
【００４４】
また、マスターストロボ装置１０１は、プリ発光のための駆動パラメータとして、スレーブストロボ装置１５１のフラット発光の期間や光量なども決定する。そして、マスターストロボ装置１０１は、図４のｔ１〜ｔ２に示したように、スレーブストロボ装置１５１で使用する駆動パラメータなどをキセノン管１０２の発光によりスレーブストロボ装置１５１に通知する（Ｓ７０３）。スレーブストロボ装置１５１は、これらプリ発光のための指示や駆動のパラメータ等をマスターストロボ装置１０１から受信する（Ｓ７１１）。
【００４５】
以下、マスターストロボ装置１０１がカメラＡと接続されている場合の動作を、図５（ａ）を参照して説明する。
【００４６】
［Ｔ１］  カメラ１００はＣＬＫ信号ラインを引き下げてプリ発光開始を指示する。マスターストロボ装置１０１は、ＣＬＫ通信ラインが立ち下がった事、すなわちプリ発光の開始の指示を検出して、キセノン管１０２を制御し（第１の制御処理）、プリ発光１を行う（Ｓ７０４、Ｓ７０５）。これはスレーブストロボ装置１５１を発光させるためのトリガとしての発光であり、これによりスレーブストロボ装置１５１はフラット発光によるプリ発光を開始する（Ｓ７１２、Ｓ７１３）。
【００４７】
［Ｔ２］  カメラの測光回路３１１は、測光を開始する為に出力信号ＶＤを引き下げ、測光を開始する。
［Ｔ３］  マスターストロボ装置１０１は、カメラ１００の測光回路３１１が出力信号ＶＤをローレベルにして測光を行っている間に、キセノン管１０２を制御し（第２の制御処理）、プリ発光２を行う。これは、カメラ１００に被写体反射光を測光させるために行うプリ発光であり、このプリ発光の測光結果を元にカメラ１００は本発光に必要な光量を演算する。なお、このようなタイミングでのプリ発光を実現するために、プリ発光１から所定時間の経過後に、プリ発光２が実行される（Ｓ７０６、Ｓ７０７）。なお、Ｓ７０６で用いられる所定時間は、Ｓ７０２で決定されたプリ発光２のタイミングにより設定される。
【００４８】
［Ｔ４］  カメラの測光回路３１１は、出力信号ＶＤを元に戻し、測光を終了する。ちなみに、出力信号ＶＤが戻る前に、マスターストロボ装置１０１のプリ発光２は終了している。また、スレーブストロボ装置１５１では、Ｓ７１１で設定されたフラット発光の期間が経過すると、プリ発光を終了する（Ｓ７１４、Ｓ７１５）。
【００４９】
図５（ｂ）は、プリ発光指示から測光回路３１１の動作が開始するまで（Ｔ１〜Ｔ２）の長さが１００μｓｅｃであるカメラＢの場合を図示している。動作は図５（ａ）と同様である。但し、図５（ｂ）に示されるカメラ１００は、プリ発光の指示から測光開始までの時間が図５（ａ）のカメラと比べて短くなっており、これに合わせてプリ発光１とプリ発光２の間隔も短く設定されている。
【００５０】
また、図５（ａ）と図５（ｂ）に示される様に、カメラ１００の種類により、測光回路３１１の測光時間（Ｔ２〜Ｔ４で示されている）が異なる場合もあり、プリ発光２の光量が大きい場合は、測光終了時にまだ発光が終了していないという事態も起こり得る。また、測光回路３１１の特性からプリ発光の発光量が大きい場合に測光できない事態も起こり得る。したがって、プリ発光２の測光タイミングの制御に加え、プリ発光２の発光量を制御するようにしてもよい。
【００５１】
以上のように、本実施形態のカメラシステムでは、カメラ１００が測光を行う期間内であり、スレーブストロボ装置１５１が所定期間のフラット発光を実行している間に、マスターストロボ装置１０１がプリ発光としての閃光発光を実行することが保証される。
【００５２】
以上、本発明の好ましい実施形態について説明したが、本発明はこれらの実施形態に限定されず、その要旨の範囲内で種々の変形及び変更が可能である。
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１】
2014095876.tif 000003
【図２】
2014095876.tif 000004
【図３】
2014095876.tif 000005
【図４】
2014095876.tif 000006
【図５】
2014095876.tif 000007
【図６】
2014095876.tif 000008
【図７】
2014095876.tif 000009